(57)【要約】【課題】設置場所や移動の制約をなくし、かつ水槽の容量が小さくならないようにしつつ、エアポンプや電源コードやエアチューブが目立ちにくくする。【解決手段】内部に空間を有する台座２０と、台座の上に設置された水槽３０と、水槽３０の底面に形成された貫通孔と、台座２０の内部から貫通孔を介して水槽３０の内部まで至るエア通路４０と、台座２０の内部に収納され、かつエア通路４０を通して水槽３０の内部に空気を供給するための電池駆動式のエアポンプ５０とを備える。【選択図】図２
2012228232.tif 000002
【特許請求の範囲】
【請求項１】
内部に空間を有する台座と、
前記台座の上に設置された水槽と、
前記水槽の底面に形成された貫通孔と、
前記台座の内部から前記貫通孔を介して前記水槽の内部まで至るエア通路と、
前記台座の内部に収納され、かつ前記エア通路を通して前記水槽の内部に空気を供給するエアポンプと、
前記台座の内部に収納され、かつ前記エアポンプを駆動させる電源と
を備えることを特徴とする水槽装置。
【請求項２】
請求項１に記載の水槽装置において、
前記エア通路は、剛性を有するパイプを備え、
前記パイプは、前記貫通孔に挿入され、かつ一端を前記台座の内部に、他端を前記水槽の内部にそれぞれ突出させた状態で、前記水槽の底面に固定されている
ことを特徴とする水槽装置。
【請求項３】
請求項１又は請求項２に記載の水槽装置において、
前記台座は、天面の中央部が開口された形状をなし、
少なくとも、前記台座の天面の前記開口を除く部分と前記台座の側面は、不透明な材料から形成されている
ことを特徴とする水槽装置。
【発明の詳細な説明】
【技術分野】
【０００１】
本発明は、水生生物の観賞用又はディスプレイ用の水槽装置に関するものである。
【背景技術】
【０００２】
水槽で熱帯魚等の水生生物を飼育する場合には、これらが酸欠を起こさないようにするために、水槽内の水に空気（酸素）を供給する必要がある。
このため、従来、例えば、水槽の上方にエアポンプを設置し、このエアポンプからエアチューブ及びエアストーンを介して、水槽内の水に空気を供給していた。
【０００３】
また、例えば、水槽に濾過装置を設置し、水槽内の水を循環ポンプで濾過装置に取り入れ、濾過した後に再び水槽内に戻して、水を循環させることもある。この場合、水を循環させる過程で、水槽内の水に空気（酸素）が供給される。
【０００４】
さらにまた、例えば、水槽内に数匹の小さな魚を入れるとともに、水槽の底面に水草を入れておく。そして、照明等で水槽内に光を当てる。そうすると、水草が光合成により発する酸素が、水槽内の水に供給されるので、エアポンプ等を設けなくても済む。
【０００５】
また近年、ディスプレイ効果を高めるために、外槽の中に内部ケーシングを備え、外槽と内部ケーシングとの間を貯水部とした水槽が提案されている（特許文献１参照）。
この水槽は、台部材の上に設置される。また、循環ポンプ等の各種機器類は、台部材の内部に収納される。そして、循環ポンプ用のパイプは、水槽の下側から内部ケーシングの中を通して水槽の上側まで引き出されて、貯水部の内部に差し込まれる。
【先行技術文献】
【特許文献】
【０００６】
【特許文献１】特開２００８−１９９９１５号公報
【発明の概要】
【発明が解決しようとする課題】
【０００７】
しかし、水槽の上方にエアポンプを設置する場合には、エアポンプ、電源コード、及びエアチューブ等が目立つので、特に観賞用又はディスプレイ用としては見映えがよくないという問題があった。
【０００８】
また、水槽に濾過装置を設置する場合には、上記と同様に、濾過装置、エアポンプ、電源コード、及びエアチューブ等が目立つという問題に加えて、バッテリー駆動が難しい（大きな電力を必要とする）ことから、電源コンセントから電力の供給を受ける必要があるので、設置場所や移動に大きな制約があるという問題もあった。
【０００９】
さらにまた、水草が光合成により発する酸素を水槽内の水に供給する場合には、魚と水草とのバランスが難しく、特に多数の魚や大きな魚が必要とする酸素量を十分に供給するのは難しいという問題があった。加えて、十分な酸素を供給するために、水槽内に大量の水草を入れると、魚が見えにくくなってしまうという問題もあった。
【００１０】
さらに、上述した特許文献１に記載の技術では、台部材の内部に各種機器類が収納されるとともに、内部ケーシングの中にパイプ等が配置されるため、これらが目立ちにくいが、水槽が外槽及び内部ケーシングの二重構造になっている分、貯水部の容量が小さくなってしまうという問題があった。
【００１１】
したがって、本発明が解決しようとする課題は、設置場所や移動の制約をなくし、かつ水槽の容量が小さくならないようにしつつ、水槽に必要な部品が目立ちにくくすることである。
【課題を解決するための手段】
【００１２】
本発明は、以下の解決手段によって、上述の課題を解決する。なお、かっこ書きにて、対応する実施形態を示す。
請求項１の発明は、内部に空間を有する台座２０と、前記台座の上に設置された水槽３０と、前記水槽の底面３１に形成された貫通孔３３と、前記台座の内部から前記貫通孔を介して前記水槽の内部まで至るエア通路４０と、前記台座の内部に収納され、かつ前記エア通路を通して前記水槽の内部に空気を供給するエアポンプ５０と、前記台座の内部に収納され、かつ前記エアポンプを駆動させる電源とを備えることを特徴とする。
【００１３】
請求項２の発明は、請求項１に記載の水槽装置１０において、前記エア通路は、剛性を有するパイプ４１を備え、前記パイプは、前記貫通孔に挿入され、かつ一端を前記台座の内部に、他端を前記水槽の内部にそれぞれ突出させた状態で、前記水槽の底面に固定されていることを特徴とする。
【００１４】
請求項３の発明は、請求項１又は請求項２に記載の水槽装置において、前記台座は、天面の中央部が開口された形状をなし、少なくとも、前記台座の天面の前記開口を除く部分と前記台座の側面は、不透明な材料から形成されていることを特徴とする。
【００１５】
（作用）
請求項１の発明においては、台座の上に水槽が設置される。また、水槽の底面には貫通孔が形成され、この貫通孔を介して、台座の内部から水槽の内部まで至るエア通路が形成される。さらにまた、エアポンプ及びこれを駆動させる電源は、台座の内部に収納される。そして、電源をオンすると、エアポンプにより水槽内部に空気が供給される。  
ここで、エアポンプ及びこれを駆動させる電源は、一体にしてもよい。例えば、電池（バッテリー）が内蔵された、いわゆる電池式エアポンプを用いてもよい。なお、本実施形態のエアポンプ５０は、このタイプである。
これにより、水槽の容量が小さくならないようにしつつ、エアポンプ、電源コード、エアチューブ等が目立たないようにすることができる。
【００１６】
請求項２の発明においては、エア通路の一部が、剛性を有するパイプによって形成される。そして、このパイプは、貫通孔に挿入され、一端が台座の内部に、他端が水槽の内部に、それぞれ突出した状態で、水槽の底面に固定される。
これにより、水圧によってエア通路が変形しないようにすることができ、ひいては水漏れを防止しつつ、水槽内の水に空気（酸素）を安定して供給することができる。
【００１７】
請求項３の発明においては、台座の外部から内部を視認することができない。
これにより、台座の内部に収納されたエアポンプや電源を外部から視認することができないようにすることができるので、見映えをより一層よくすることができる。
【発明の効果】
【００１８】
本発明によれば、設置場所や移動の制約をなくし、かつ水槽の容量が小さくならないようにしつつ、エアポンプや電源コードやエアチューブが目立たないようにすることができる。
【図面の簡単な説明】
【００１９】
【図１】本実施形態の水槽装置１０を示す外観斜視図である。
【図２】本実施形態の水槽装置１０を示す分解斜視図である。
【図３】本実施形態の水槽装置１０の要部を示す側断面図である。
【発明を実施するための形態】
【００２０】
以下、図面等を参照して、本発明の一実施形態について説明する。
図１は、本実施形態の水槽装置１０を示す外観斜視図、図２は、本実施形態の水槽装置１０を示す分解斜視図、図３は、水槽３０の底面３１、及びエア通路４０を示す側断面図である。
本実施形態に係る水槽装置１０は、水生生物の観賞用又はディスプレイ用として用いられるものであって、図１及び図２に示すように、台座２０と、台座２０の上に設置された水槽３０とを備えている。
【００２１】
図２に示すように、本実施形態では、台座２０は、円形板状の底板２１と、中空円筒状の側板２２と、円形板状の天板２３とを備えている。また、天板２３の中央には、円形の開口部２４が設けられている。開口部２４は、人の手が入る程度の大きさに形成されている。そして、この開口部２４を通して、台座２０の内部にエアポンプ５０を収納したり、エアポンプ５０の電源のオン／オフ操作を行うようにしている。
また、本実施形態では、台座２０は、直径約３０ｃｍ程度、高さ約１０ｃｍ程度であり、厚さ約５ｍｍ程度の白色不透明のアクリル板を用いて形成されている。これにより、十分な強度を保つようにしつつ、台座２０の外部から内部を視認できないようにしている。
【００２２】
図２に示すように、本実施形態では、水槽３０は、円形板状の底面３１と、円筒状の側面３２とを備えている。
また、本実施形態では、水槽３０は、直径約３０ｃｍ程度、高さ約３０ｃｍ程度であり、厚さ約５ｍｍ程度の無色透明のアクリル板を用いて形成されている。
さらにまた、水槽３０の底面３１中央には、貫通孔３３が形成されている（図３参照）。そして、この貫通孔３３を介して、台座２０の内部から水槽３０の内部まで至るエア通路４０（図１、図２参照）が形成されている。
【００２３】
図３に示すように、本実施形態では、エア通路４０は、パイプ４１と、パイプ４１の上下の両端にそれぞれ固定したキャップ４２と、上下の両キャップ４２にそれぞれ固定したエアコック４３と、上下の両エアコック４３にそれぞれ接続したエアチューブ４４とを備えている。
【００２４】
また、本実施形態では、パイプ４１は、直径約１３ｍｍ程度の塩化ビニル製である。これにより、水圧で変形しない程度の十分な剛性を有するようにしている。一方、貫通孔３３の内径は、パイプ４１の直径よりもわずかに大きく設定されている。
さらに、パイプ４１は、貫通孔３３に挿入されており、上端が水槽３０の内部に、下端が台座２０の内部に、それぞれ突出している。そして、この状態で、パイプ４１と貫通孔３３との間の隙間に、シリコンシール剤４７が充填されている。このようにして、水槽３０の底面３１にパイプ４１が固定されている。これにより、水圧によってエア通路４０が変形しないようにしており、ひいては水漏れを防止しつつ、水槽３０内の水に空気を安定して供給するようにしている。
【００２５】
また、本実施形態では、パイプ４１の上下の両端にはそれぞれキャップ４２が固定され、上下の両キャップ４２の底面にはそれぞれエアコック４３が固定されている。
具体的には、エアコック４３は、筒状のコック本体を備えている。また、コック本体の一端には接続口が、他端にはチューブ挿入口がそれぞれ形成されている。さらにまた、コック本体の内部には、接続口からチューブ挿入口まで至る空気流路が形成されている。さらに、コック本体の内部であって空気流路の途中には、弁が内蔵されており、コック本体の外部には、弁を開閉するためのレバーが設けられている。そして、キャップ４２の底面中央には円孔が形成されており、この円孔にエアコック４３の接続口が挿入された状態で、これらの間にシリコンシール剤４７が充填されている。このようにして、キャップ４２の底面にエアコック４３が固定されている。
【００２６】
また、上下の両エアコック４３のチューブ挿入口には、それぞれエアチューブ４４が接続されている。
さらにまた、台座２０の内部側に接続されたエアチューブ４４の先端には、エアポンプ５０が接続されている（図１、図２参照）。このエアポンプ５０は、電源が一体となった、電池式エアポンプである。このエアポンプ５０には、電源のオン／オフを切り替えるスイッチが設けられている。そして、このエアポンプ５０は、台座２０の内部に収納される。
【００２７】
一方、図３に示すように、水槽３０の内部側に接続されたエアチューブ４４の先端には、エアストーン４５が接続されている。
さらに、台座２０の内部側に接続されたエアチューブ４４の途中には、逆止弁４６が取り付けられている。この逆止弁４６は、エアポンプ５０側からエアストーン４５側への流体（空気）の流れを許容しつつ、エアストーン４５側からエアポンプ５０側への流体（水）の流れを阻止するものである。
【００２８】
以下、水槽装置１０の設置手順について説明する。
まず、上下の両エアコック４３にそれぞれエアチューブ４４を接続する。このとき、上下の両エアコック４３は、それぞれ弁を閉じた状態にしておく。また、水槽３０内部側のエアチューブ４４の先端にエアストーン４５を接続する。さらにまた、台座２０内部側のエアチューブ４４の途中に逆止弁４６を、先端にはエアポンプ５０をそれぞれ接続する。このとき、エアポンプ５０の電源はオフにしておく。
【００２９】
次に、台座２０の内部にエアポンプ５０を収納しつつ、台座２０の上に水槽３０を設置する。
次に、水槽３０内に水を適量入れる。ここで、水槽３０の容量が数リットル程度と比較的小さい場合には、水槽３０を満水にしても、その後に水槽３０を移動させることが可能である。しかし、水槽３０の容量が比較的大きい場合には、水槽３０を満水にすると、その後に水槽３０を移動させることができなくなってしまう。このため、水槽３０を移動させることが可能な程度まで水を入れる。すなわち、適量の水とは、水槽３０を移動させることが可能な程度の量の水であって、下記のようにエアストーン４５が完全に水没する程度の量を意味する。
【００３０】
次に、上下の両エアコック４３の弁をそれぞれ開放し、その後に、エアポンプ５０の電源をオンにする。エアポンプ５０の電源をオンにすると、エアストーン４５から空気が放出される。ここで、上記のように、少なくともエアストーン４５が完全に水没する程度の水を事前に入れておけば、エアポンプ５０の電源をオンにしたとき、エアストーン４５からの空気が水の中に放出されるので、水槽内の水に事前に空気を供給しておくことができる。
次に、水槽３０の水の中に熱帯魚等の水生生物を入れる。
次に、水槽装置１０全体を設置場所まで移動させる。そして、設置場所まで移動させたところで、水槽３０を満水にする。これで、水槽装置１０の設置が完了する。
【００３１】
なお、水槽３０内の水の中に照明器具を設置してもよい。また、水中に設置する照明器具として、例えば、水を検知するセンサを備え、このセンサが水を検知すると、ランプを点灯させるものを用いることができる。そうすると、ディスプレイ効果をより一層向上させることができる。
【００３２】
また、水槽３０内には、魚の他に水草等を入れてもよい。
さらにまた、水槽３０の底には砂利等を敷き詰めることが好ましい。そうすると、水槽３０の底面３１を無色透明にしても、水槽３０の上方から台座２０の内部が見えないようにする（隠蔽する）ことができる。
【００３３】
以上の水槽装置１０は、電源コードを必要とせず、電源等が外部から全く見えず、水槽３０の底面においてエアストーン４５及びそれに連結されたエアチューブ４４等が見える程度であるので、水槽装置１０の駆動部分のほとんどが隠蔽された、極めて装飾性の高いものである。
【００３４】
また、電池（すなわちバッテリー）駆動であるので、設置時間は永久ではないが、一時的な装飾・設置には極めて優れている。特に、移動自在であるので、設置場所の制限を受けることなく（コンセント位置に制約されずに）任意の場所に設置することができる。
例えば、結婚披露宴において、新郎及び新婦が着席するメインテーブルは、通常、華やかな装花（高砂花）が設置されるが、その装花とともに、あるいは装花に代えて、メインテーブル上に水槽装置１０を設置することが挙げられる。さらには、メインテーブルに限らず、各ゲストテーブルにも設置することも可能である。その他、各種イベント会場や展示会等での設置にも適している。
【００３５】
以上、本発明の一実施形態について説明したが、本発明は、上述した実施形態に限定されるものではなく、以下のような種々の変形が可能である。
（１）上記実施形態では、エア通路４０の一部に剛性を有するパイプ４１を用いたが、これに限られるものではなく、例えば、剛性を有するパイプ４１を用いずにエアチューブ４４のみでエア通路４０を形成してもよい。
【００３６】
（２）上記実施形態では、台座２０を白色不透明のアクリル板で形成して、外部から内部を視認できないようにしたが、これに限られるものではなく、例えば、台座２０を無色透明のアクリル板で形成して、外部から内部を視認できるようにしてもよい。
【００３７】
（３）上記実施形態では、台座２０はアクリル製としたが、これに限られるものではなく、例えば、木製にしてもよい。
【００３８】
（４）上記実施形態では、水槽３０はアクリル製としたが、これに限られるものではなく、例えば、ガラス製にしてもよい。また、水槽３０の面材の厚さは、面材の材料や水槽３０の大きさ等によって適宜定めることができる。
【００３９】
（５）例えば、水槽３０の側面３２は無色透明にしつつ、水槽３０の底面３１は有色不透明にすることもできる。そうすると、水槽３０の底に砂利等を敷き詰めることなく、水槽３０の上方から台座２０の内部が見えないようにすることができる。
【００４０】
（６）上記実施形態では、台座２０及び水槽３０は円筒状にしたが、これに限られるものではなく、例えば、直方体や立方体等、適宜定めることができる。
【００４１】
（７）例えば、台座２０の側板２２に開口を設けるとともに、この開口を開閉可能に塞ぐ扉又は蓋を設ける。そして、この開口を介して、台座２０の内部に収納したエアポンプ５０の電源のオン／オフ操作を行うようにしてもよい。
また、例えば、リモコンでエアポンプ５０の電源をオン／オフするようにしてもよい。
【００４２】
（８）上記実施形態では、上下の両キャップ４２にそれぞれエアコック４３を設けたが、例えば、上又は下のいずれか一方のキャップ４２にのみエアコック４３を設けるようにしてもよい。この場合、他方のキャップ４２には、エアコック４３に代えてエアチューブ４４の継ぎ手を設けることができる。
【００４３】
（９）上記実施形態では、エアポンプ５０と電源とが一体になった電池式エアポンプを用いたが、これに限られるものではなく、例えば、エアポンプ５０と電源とを別体にしてもよい。
【００４４】
（１０）本実施形態では、水槽３０の天面は開放された形状とした。この状態で使用することは何ら問題はないが、例えば天面を覆う蓋を設けてもよい。蓋は、透明でも不透明でもよく、いかなる材質のものでもよいが、水槽３０と同じ透明なものか、あるいは台座２０と同色とするのが好ましい。蓋の設置により、外部からの異物の侵入を防止し、かつ水溢れを防止することができる。
なお、上記（１）〜（１０）の各変形例は、それぞれ単独で適用される場合に限られるものではなく、これらを適宜組合わせて適用することもできる。
【符号の説明】
【００４５】
１０  水槽装置
２０  台座
２１  底板
２２  側板
２３  天板
２４  開口部
３０  水槽
３１  底面
３２  側面
３３  貫通孔
４０  エア通路
４１  パイプ
４２  キャップ
４３  エアコック
４４  エアチューブ
４５  エアストーン
４６  逆止弁
４７  シリコンシール剤
５０  エアポンプ
【図１】
2012228232.tif 000003
【図２】
2012228232.tif 000004
【図３】
2012228232.tif 000005
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
内部に空間を有する台座と、
前記台座の上に設置された水槽と、
前記水槽の底面に形成された貫通孔と、
前記台座の内部から前記貫通孔を介して前記水槽の内部まで至るエア通路と、
前記エア通路の途中であって前記水槽の内部側に設けたエアコックと、
前記エア通路の途中であって前記エアコックよりも前記エアポンプ側に設けられ、かつ前記エアポンプ側から前記水槽の内部側への流体の流れを許容しつつ前記水槽の内部側から前記エアポンプ側への流体の流れを阻止する逆止弁と、
前記台座の内部に収納され、かつ前記エア通路を通して前記水槽の内部に空気を供給するエアポンプと、
前記台座の内部に収納され、かつ前記エアポンプを駆動させる電源と
を備えることを特徴とする水槽装置。
【請求項２】
内部に空間を有する台座と、
前記台座の上に設置された水槽と、
前記水槽の底面に形成された貫通孔と、
前記台座の内部から前記貫通孔を介して前記水槽の内部まで至るエア通路と、
前記エア通路における前記水槽の内部側の先端に設けたエアストーンと、
前記エア通路の途中であって前記水槽の内部側又は前記台座の内部側の少なくとも一方に設けたエアコックと、
前記台座の内部に収納され、かつ前記エア通路を通して前記水槽の内部に空気を供給するエアポンプと、
前記台座の内部に収納され、かつ前記エアポンプを駆動させる電源と、
前記エア通路の途中であって前記エアコックよりも前記エアポンプ側に設けられ、かつ前記エアポンプ側から前記水槽の内部側への流体の流れを許容しつつ前記水槽の内部側から前記エアポンプ側への流体の流れを阻止する逆止弁と
を備える水槽装置の設置方法であって、
前記エアコックの弁を閉じた状態で前記水槽の内部に少なくとも前記エアストーンが水没するまで水を入れ、
その後に前記エアコックの弁を開放し、
その後に前記エアポンプを駆動させる前記電源をオンにする
ことを特徴とする水槽装置の設置方法。
【手続補正３】
【補正対象書類名】明細書
【補正対象項目名】００１２
【補正方法】変更
【補正の内容】
【００１２】
本発明は、以下の解決手段によって、上述の課題を解決する。なお、かっこ書きにて、対応する実施形態を示す。
請求項１の発明は、内部に空間を有する台座２０と、前記台座の上に設置された水槽３０と、前記水槽の底面３１に形成された貫通孔３３と、前記台座の内部から前記貫通孔を介して前記水槽の内部まで至るエア通路４０と、前記エア通路の途中であって前記水槽の内部側に設けたエアコック４３と、前記エア通路の途中であって前記エアコックよりも前記エアポンプ側に設けられ、かつ前記エアポンプ側から前記水槽の内部側への流体の流れを許容しつつ前記水槽の内部側から前記エアポンプ側への流体の流れを阻止する逆止弁４６と、前記台座の内部に収納され、かつ前記エア通路を通して前記水槽の内部に空気を供給するエアポンプ５０と、前記台座の内部に収納され、かつ前記エアポンプを駆動させる電源とを備えることを特徴とする。
【手続補正４】
【補正対象書類名】明細書
【補正対象項目名】００１３
【補正方法】変更
【補正の内容】
【００１３】
請求項２の発明は、内部に空間を有する台座と、前記台座の上に設置された水槽と、前記水槽の底面に形成された貫通孔と、前記台座の内部から前記貫通孔を介して前記水槽の内部まで至るエア通路と、前記エア通路における前記水槽の内部側の先端に設けたエアストーン４５と、前記エア通路の途中であって前記水槽の内部側又は前記台座の内部側の少なくとも一方に設けたエアコックと、前記台座の内部に収納され、かつ前記エア通路を通して前記水槽の内部に空気を供給するエアポンプと、前記台座の内部に収納され、かつ前記エアポンプを駆動させる電源と、前記エア通路の途中であって前記エアコックよりも前記エアポンプ側に設けられ、かつ前記エアポンプ側から前記水槽の内部側への流体の流れを許容しつつ前記水槽の内部側から前記エアポンプ側への流体の流れを阻止する逆止弁とを備える水槽装置の設置方法であって、前記エアコックの弁を閉じた状態で前記水槽の内部に少なくとも前記エアストーンが水没するまで水を入れ、その後に前記エアコックの弁を開放し、その後に前記エアポンプを駆動させる前記電源をオンにすることを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
（作用）
請求項１の発明においては、台座の上に水槽が設置される。また、水槽の底面には貫通孔が形成され、この貫通孔を介して、台座の内部から水槽の内部まで至るエア通路が形成される。さらにまた、このエア通路の途中であって水槽の内部側には、エアコックが設けられる。さらに、エア通路の途中であってエアコックよりもエアポンプ側には、逆止弁が設けられる。また、エアポンプ及びこれを駆動させる電源は、台座の内部に収納される。そして、電源をオンすると、エアポンプにより水槽内部に空気が供給される。  
ここで、エアポンプ及びこれを駆動させる電源は、一体にしてもよい。例えば、電池（バッテリー）が内蔵された、いわゆる電池式エアポンプを用いてもよい。なお、本実施形態のエアポンプ５０は、このタイプである。
これにより、水槽の容量が小さくならないようにしつつ、エアポンプ、電源コード、エアチューブ等が目立たないようにすることができる。
また、逆止弁を設けたことにより、エアポンプ側から水槽の内部側への流体の流れを許容しつつ、水槽の内部側からエアポンプ側への流体の流れを阻止することができる。
【手続補正７】
【補正対象書類名】明細書
【補正対象項目名】００１６
【補正方法】変更
【補正の内容】
【００１６】
請求項２の発明においては、エアコックの弁を閉じた状態で水槽の内部に少なくともエアストーンが水没するまで水を入れ、その後にエアコックの弁を開放し、その後にエアポンプの電源をオンにする。
これにより、エアポンプの電源をオンにしたとき、エアストーンからの空気が水の中に放出されるので、水槽内の水に事前に空気を供給しておくことができる。
【手続補正８】
【補正対象書類名】明細書
【補正対象項目名】００１７
【補正方法】削除
【補正の内容】